(57)【要約】【課題】従来のペンホルダーグリップの弱点を克服した新しい卓球ラケットを提供する。【解決手段】本発明に係る卓球ラケット２は、そのグリップ１０が、ブレード４の第１面側及び第２面側にそれぞれ位置付けられ、且つ、ブレードの先端部側を向き、使用者の示指が接触して押圧される示指接触面３２、及び中指が接触して押圧される中指接触面３６、並びにブレードの終端に位置付けられ、使用者の掌が当接して押圧される掌当接面２８を有し、使用時に、示指接触面に接触してこれを押圧する示指と、中指接触面に接触してこれを押圧する中指と、掌当接面に当接してこれを押圧する掌とによりグリップを掴むように把持して使用される。【選択図】図１
2019217242.tif 000002
【特許請求の範囲】
【請求項１】
第１面及び第2面を有する、平板状のブレードと、当該ブレードの先端部とは反対の基端部に設けられているグリップとを備え、前記ブレードの第１面に、好ましくは第1面及び第２面の両面にラバーを貼着して使用される卓球ラケットであって、  
前記グリップは、
前記ブレードの第１面側に位置付けられてブレードの先端部側を向いており、使用者の示指が接触して押圧される示指接触面と、
前記ブレードの第２面側に位置付けられてブレードの先端部側を向いており、使用者の少なくとも中指が接触して押圧される中指接触面と、
前記ブレードの先端部とは反対側の終端に位置付けられ、使用者の掌が当接して押圧される掌当接面と、を含み、
使用時に、前記示指接触面に接触してこれを押圧する示指と、前記中指接触面に接触する少なくとも中指と、前記掌当接面に当接してこれを押圧する掌とにより前記グリップを掴むように把持されて使用される、卓球ラケット。
【請求項２】
前記グリップは、前記ブレードの外周縁から延出したグリップ芯体と、前記グリップ芯体における第１面の側に配設された第１突出部材と、前記グリップ芯体における第２面の側に配設された第２突出部材とを含み、
前記示指接触面は、第１突出部材における前記ブレード先端部側に位置する一方端に設けられており、
前記中指接触面は、第２突出部材における前記ブレード先端部側に位置する一方端に設けられており、
前記掌当接面は、前記第１突出部材における前記ブレード先端部とは反対の側に位置する他方端、前記第２突出部材における前記ブレード先端部とは反対の側に位置する他方端、及び前記グリップ芯体における前記ブレード先端部とは反対の側に位置する終端の内、少なくとも一つに形成されている、請求項１に記載の卓球ラケット。
【請求項３】
第２突出部材に形成させた中指接触面は、第１突出部材に形成させた示指接触面より、前記ブレード先端部側に位置している、請求項２に記載の卓球ラケット。
【請求項４】
前記第２突出部材の他方端の一部を切り欠いたように形成された第２掌当接面を備える、請求項２に記載の卓球ラケット。
【請求項５】
前記第１突出部材の上面に配設されたサポートプレートを更に備えており、
前記サポートプレートは、第１突出部材を把持する示指、母指、手の甲合谷部分の少なくとも一つと接触するサポート面を備えている、請求項２に記載の卓球ラケット。
【発明の詳細な説明】
【技術分野】
【０００１】
本発明は、卓球ラケットに関し、詳しくは、従来のペンホルダーラケットやシェークハンドラケットとは異なる打法を可能にする卓球ラケットのグリップ形状の改良に関する。
【背景技術】
【０００２】
従来の代表的な卓球ラケットとしては、グリップを、ペンを持つように握るタイプのペンホルダーラケット、及びグリップを握手するように握るタイプのシェークハンドラケットが知られている。
【０００３】
ペンホルダーラケットは、一般的には、特許文献１の第１図及び第２図に示されるような形状をなしており、基本的にブレードの第１面にのみラバーを貼り、フォアハンドストロークもバックハンドストロークもこの第１面だけで打球する。また、最近では、後述するように、第１面の反対側の第２面にもラバーを貼り、その面でも打球する技術が使われることもある。
【０００４】
ペンホルダーラケットの基本的な握り方としては、特許文献１の第３図及び第４図に示されるように、グリップの付け根を母指と示指（人差し指）で囲み、中指、薬指及び小指はブレードの第１面の反対側の第２面に添えるようにして握る。ペンホルダーラケットの場合、グリップの本体は、母指の骨と示指の骨とが合流する部分の手の甲側の上に乗る。
ペンホルダーラケットでは、上記のようにグリップを握るため、使用者の腕とラケットとの関係は、ラケットの先端（以下、「ラケットヘッド」ともいう）とグリップの終端（以下、「グリップエンド」ともいう）とを結んだ仮想線（以下、中心軸線という）が、使用者の前腕の軸線に対して、第一面ラバーの表ラケットブレードを上にした時に、ラケットヘッドが下側となる所定の角度で交差している（例えば、特許文献２の図５参照）。つまり、ブレードの板面は使用者の前腕の軸線に対して所定の角度（例えば、グリップの厚さに比例しておよそ３０度の角度である。以下、交差角という。）で交差している。
【０００５】
ペンホルダーラケットの基本的なスイング方法としては、フォアハンドストロークは、特許文献１の第５図〜第６図に示されるように、ラケットヘッドを下げた状態から、ラケットを持った手の側とは反対側の肩の方に向かって振り上げるようにスイングし、第１面を使って打球するバックハンドストロークは、特許文献１の第７図〜第８図に示されるように、ラケットの第１面でボールを捕らえられるように腕をひねってスイングする。従って、ペンホルダースイングでは、第１面でボールを打つ限り、フォアハンドでもバックハンドでもボールはラバーに直角ではなく、斜めに当たることになり、返すボールの威力は削がれていて、ボールの方向は交差角の分がずれている。
【０００６】
ペンホルダーラケットは、指先でラケットの動きを調整できるので、卓球台上にて上回転のスピンも下回転のスピンも容易にかけられる。また、ペンホルダーラケットは、相手が正面に向かって打ってきたボールを、ラケットの第１面を卓球台に垂直に立てて球に当て、指先で方向を操作して、打ち返すことができる（一般に「プッシュ」または「ストップショート」あるいは「ショート」などと呼ばれ、以下単に「ショート」と呼ぶ）。つまり、ペンホルダーラケットは、後述する手首でラケットの動きを調整するシェークハンドラケットに比べて指使いによってラケットを動かす事が出来、卓球台上での操作性に優れている。
【０００７】
次に、シェークハンドラケットは、一般的には、特許文献３の図１ａに示されるような形状をなしており、ブレードの第１面及びこの第１面とは反対側の第２面の両方にラバーを貼り、フォアハンドストロークでは第１面で打球し、バックハンドストロークでは第２面で打球する。シェークハンドラケットではこれ以外の打ち方はあり得ない。
【０００８】
シェークハンドラケットの基本的な握り方としては、特許文献２の図６や特許文献３の図１ｂに示されるように、ブレードを母指と示指との間で挟むとともに、中指、薬指及び小指でグリップを包み込むようにして握る。このようにグリップを握るため、ブレードの板面が延びる方向は、使用者の前腕の軸線が延びる方向に沿っている。つまり、シェークハンドラケットの両面は使用者の掌が延びる方向に沿っている。従って、ペンホルダーラケットと異なり、球は前腕の振りに遅れることなく、通常の打ち方では、ラバーに直角に当たる。
【０００９】
シェークハンドラケットの基本的なスイング方法としては、フォアハンドストロークは、ラケットヘッドを上げた状態から、ラケットを持った手の側とは反対側の肩の方に向かって振り上げ、回すようにスイングし、バックハンドストロークは、ラケットの第２面でボールを捕らえられるように手の甲側から回すようにスイングする。
【００１０】
シェークハンドラケットは、フォアハンドストロークとバックハンドストロークをそれぞれの面で打ち、２種類の打ち方をマスターすれば十分で基本的な技術の獲得が容易である。特に、フォアハンドストロークで打った球のスピードがペンホルダーストロークに比べて早いので攻撃に優れている。
【先行技術文献】
【特許文献】
【００１１】
【特許文献１】実開昭６１−１０６２７１号公報
【特許文献２】特開２００４−２０９１８０号公報
【特許文献３】特表２０１０−５３６４６８号公報
【発明の概要】
【発明が解決しようとする課題】
【００１２】
ペンホルダーラケットでは、上記したような交差角があるため、フォアハンドストローク及びバックハンドストロークを第１面で打球した場合、シェークハンドラケットで打球した場合に比べて、打球の飛び出す方向が平均で外側に２０度〜３０度ずれ、同時に球へのインパクト（打撃力）が交差角の為に弱い。例えば、右利きの使用者がペンホルダーラケットを使ってフォアハンドあるいはバックハンドストロークを第１面で打った場合、打球の飛び出す方向は、シェークハンドラケットで打った場合に比べてそれぞれ右寄りあるいは左寄りに偏りが出る。これらは打ち合いになったときに、球のスピードが出ず、角度がつかない球になる。このことは、ペンホルダーラケットの基本的な弱点と言える。
【００１３】
ペンホルダーのバックハンドの球の角度が出ない弱点を解消するために、第２面にもラバーを貼ったペンホルダーラケットを用い、第２面に貼ったラバーで打球することが行われている。第２面にもラバーを貼ったペンホルダーラケットでは、手首のスナップ力を効かせてドライブ回転を生み出すので、シェークハンドラケットのバックハンドを超えるドライブ回転での返球が可能である。しかしながら、上記した交差角の関係で、シェークハンドラケットで打球した場合に比べて、打球の飛び出す方向が平均で外側に３０度ずれるといった影響が出る。例えば、右利きの使用者がペンホルダーラケットを使ってバックハンドストロークを第２面で打った場合、打球の飛び出す方向は、シェークハンドラケットでバックハンドストロークをした場合に比べて右寄りに偏りが出る。更に困ったことに、正面よりも右側に来た球を相手側に打ち返すと、相手の台の右端を外してしまうことになる。この様に返せる打球と返す方向に制限が出てしまう欠点がある。
【００１４】
また、使用者の身体の正面に来たボールに対し、シェークハンドラケットはドライブをかけたバックハンドで返球できるのに対して、第１面を使うペンホルダーラケットでは、手の構造上ドライブは殆ど掛けられない。このため、ペンホルダーラケットでは、使用者の身体の正面に来たボールに対しては、第１面に当てて返すショートと呼ばれる返球が行われる。上記のような第２面にもラバーを貼ったペンホルダーラケットであれば、使用者の身体の正面に来たボールに対しても第２面を用いたバックハンドを適用してドライブを掛けた返球もできるが、上記のような角度のずれがあるので、返球できるボールとその方向は限られていて、とりわけ正面よりさらに右方向に来た球は返せない。
【００１５】
一方、シェークハンドラケットは、操作が簡単で、上記したように攻撃性に優れることから、現在の卓球界では主流となっている。しかし、上記したように、シェークハンドラケットの握り方では、手首のスナップを効かせて回転をかけるので、卓球台上では上回転のスピンがかけ辛く卓球台上での攻撃がやり難くいとともに、ペンホルダーラケットに比べて卓球台上での操作性に劣るという弱点がある。最近の卓球の試合では、サーブに始まる卓球台上での打ち合いで勝負が決まることが多く、卓球台上での操作性は極めて重要な特徴である。
このような状況の下、ペンホルダーラケットの卓球台上での操作性の利点とシェークハンドラケットの攻撃性とを兼ね備えたラケットの開発が望まれている。
【００１６】
本発明は、上記の事情に基づいてなされたものであり、その目的とするところは、従来の卓球ラケットの弱点を克服し、新しいタイプの打法を可能にする卓球ラケットを提供することにある。
【課題を解決するための手段】
【００１７】
本発明によれば、第１面及び第２面を有する、平板状のブレードと、当該ブレードの先端部とは反対の基端部に設けられているグリップとを備え、前記ブレードの第１面に、好ましくは第１面及び第２面の両面にラバーを貼着して使用される卓球ラケットが提供される。
【００１８】
本発明のグリップは、ブレードの第１面側に位置付けられてブレードの先端部側を向いており、使用者の示指が接触して押圧される示指接触面と、ブレードの第２面側に位置付けられてブレードの先端部側を向いており、使用者の少なくとも中指が接触して押圧される中指接触面と、ブレードの先端部とは反対側の終端に位置付けられ、使用者の掌が当接して押圧される掌当接面と、を有している。
本発明の卓球ラケットは、前記示指接触面に接触してこれを押圧する示指と、前記中指接触面に接触してこれを押圧する少なくとも中指と、前記掌当接面に当接してこれを押圧する掌とにより前記グリップを掴むように把持されて使用される。
【発明の効果】
【００１９】
本発明の卓球ラケットは、使用者が当該卓球ラケットのグリップを握る際に、使用者の示指と中指がブレードを挟むようにして、母指球と指尖球との間の掌部分（本明細書全体を通して、以下、単に「掌グリップ受容部位」と称し、その詳細は後述する）がグリップの掌当接面に当接し、示指が示指接触面にかかり、中指が中指接触面にかかるので、グリップの全体が掌の中に保持でき、グリップを直接に掴むような形からいわゆる鷲掴み状態でグリップを把持するものである（これを、「鷲掴みグリップ」又は「イーグルグリップ」と称する）。イーグルグリップは、以下の作用、効果により、ペンホルダーの弱点をなくして長所を残し、シェークハンドの弱点である台上の操作性を向上させた新しいラケットである。
【００２０】
尚、示指と中指はグリップを深く巻くように掴むことによりラケット全体の安定性が得られ、詳細は後述する回転スイングによるドライブを効果的に産み出せる。また、示指と中指の各先端部位を示指接触面及び中指接触面をそれぞれに浅く当接させてグリップを掴む場合でも、上述した示指接触面近傍のブレード基端部を母指で強く押さえてグリップを握ると、グリップの安定性を産み出すことができる。
【００２１】
ペンホルダーのラケットのグリップは、ラケットヘッドとグリップエンドとを結んだ中心軸線が、使用者の前腕の軸線の延びる方向よりも30度ほど遅れていて、ブレードの面に当たる球はこの遅れた角度で当たっているので威力が削がれている。本発明のイーグルグリップでラケットを握った場合、ラケット面の角度を解消することにより威力があり、角度のある球を第１面のフォアとバックスイングで実現することになる。このように、従来のペンホルダー型の卓球ラケットの弱点を克服した新しいタイプの卓球ラケットを提供することができる。
【００２２】
イーグルグリップの効果は、第１面で打つフォアハンドとバックハンドスイングでの交差角（ラケットと腕の各軸線が作る角度）をゼロにしたのみならず、第２面で打つバックハンドの打撃可能領域を、シェイクハンドスイングと同じ範囲にまで広げた事である。
さらに、第２面で打つフォアハンドスイングという全く新しいスイング形式が可能になった。このスイングで得られる打球は強烈なドライブ（前方回転）球であり、これまでどの打ち方でもなし得なかった新しい球種を生み出した。シェイクハンドスイングでは、フォアハンドは第１面でバックハンドは第２面で打つ以外の方法はないが、イーグルグリップでは、フォアハンドもバックハンドも第１面と第２面でスイングが出来、いずれの第２面のスイングもボールに極端な回転（ドライブ）を与えることのできる新しいスイング形式で強力な技術となる。
【００２３】
ペンホルダーグリップの特徴として正面に来たボールを、ラケットの第１面を立ててラバーに当てて返すショートという打ち方があるが、イーグルグリップにおいても、中指接触面に接触する中指と上記母指を右回転にひねり、母指をブレード面に直角に位置すれば、ブレード面が台に直角な位置を取り、ペンホルダーの「ショート」の守備あるいは攻撃を容易に行うことができる。このグリップの切り替えは、第２面側のグリップ端面に切欠きや角度を付けたテーパー部を設けることにより、「ショート」へのスムーズな移動を容易にすることができる。
【図面の簡単な説明】
【００２４】
【図１】本発明の技術的思想の概略を説明するための、第１実施形態に係る卓球ラケットを示した斜視図である。
【図２】本発明の第１実施形態に係る卓球ラケットの、図１中の矢印Ａ１方向に見た際の正面図である。
【図３】本発明の第１実施形態に係る卓球ラケットを示した側面図である。
【図４】本発明の第１実施形態に係る卓球ラケットのグリップ高さＴの調整を説明するための側面図である。
【図５】本発明の第１実施形態に係る卓球ラケットのグリップ長さの調整を説明するための側面図である。
【図６】本発明に係る卓球ラケットのグリップを握る使用者の掌の各部位を説明するための図である。
【図７Ａ】本発明の第１実施形態に係る卓球ラケットを使用者がグリップを指で巻き込むようにして握った状態を示した斜視図である。
【図７Ｂ】本発明の第１実施形態に係る卓球ラケットを使用者の母指、示指及び中指の３点支持で浅くグリップを握った状態を示した斜視図である。
【図８】本発明の第１実施形態に係る卓球ラケットを使用者が握った状態であって、手の甲を上側に向けた状態を示した斜視図である。
【図９】本発明の第１実施形態に係る卓球ラケットを使用者が握った状態であって、手の甲を下側に向けた状態を示した斜視図である。
【図１０Ａ】本発明の第２実施形態に係る卓球ラケットを示した側面図である。
【図１０Ｂ】本発明の第２実施形態に係る卓球ラケットのグリップの端面図である。
【図１０Ｃ】本発明の第２実施形態に係る卓球ラケットを、使用者が把持した状態を仮想線で示した側面図である。
【図１１】本発明の第２実施形態に係る卓球ラケットのグリップ部分の変形例を示した側面図である。
【図１２】本発明の第２実施形態の卓球ラケットの、グリップの掌当接面の変形例を示した側面図である。
【図１３Ａ】本発明の第３実施形態に係る卓球ラケット２Ｄを示した側面図である。
【図１３Ｂ】本発明の第３実施形態に係る卓球ラケット２Ｄのグリップ部分の上面図であり、サポートプレートの形状を例示する。
【図１４】本発明の第３実施形態に係る卓球ラケットの変形例を示した側面図である。
【発明を実施するための形態】
【００２５】
［第１実施形態］
以下、本発明に係る卓球ラケットの、先ずは基本形態といえる第１実施形態を、図面を参照して説明し、以って本発明の技術的思想の概略を説明する。
尚、卓球ラケットの握り方は、利き手によって左右形状が異なることもあり得ることは容易に想像することができるが、右利き、左利きの何れか一方を説明すれば、他方は容易に推測することが出来るので、本明細書において特に記載がない限り、便宜上右手で把持する卓球ラケットについて説明し、左手で把持するラケットについては説明を省略する。
【００２６】
本発明に係る第１実施形態の卓球ラケット２は、図１乃至図３に示すように、平板状のブレード４と、ブレード４の先端部６とは反対の基端部８の側に設けられたグリップ１０と、ブレード４の第１面１２に貼り付けられた第１ラバー１４と、ブレード４の第１面１２とは反対側の第２面１６に貼り付けられた第２ラバー１８とを備えている。
【００２７】
ブレード４は、ラバーを介してボールを打つ打球部である。このブレード４は、本実施形態においては、複数の木製の板を重ね合わせた合板により形成されている合板タイプを採用している。この合板タイプのブレードにおいては、合板を構成する板材の中間の層に特殊素材を挟み込んだ特殊素材入り合板タイプのものを採用することもできる。尚、ブレード４は、合板タイプに限定されるものではなく、木製の無垢板１枚だけの単板タイプであっても構わない。
【００２８】
また、ブレード４の平面視形状は特に限定されず、任意の形状を採用することができる。本実施形態では、図１に示すように、いわゆる角丸型の形状を採用している。
第１ラバー１４及び第２ラバー１８は、特に限定されず、任意の種類、材質のラバーを採用することができ、プレーヤの好みに応じたラバーを別途購入してブレードに貼着させることが多い。
ラバーは貼ればラケットの重量が増すので、重量増加を考慮して、第１面には重くなるが攻撃的な打法に適したラバーが、第２面では球に回転を掛ける事が多いので第１面よりは軽量なラバーでドライブに有利なラバーを選択するのがよい。
【００２９】
尚、本発明に係る卓球ラケットは、詳細は後述するように、従来のペンホルダーグリップやシェークハンドグリップとは全く異なる「イーグルグリップ」によりラケットを把持することを特長としており、フォアハンドストローク及びバックハンドストロークのいずれにおいても、通常は、ブレードの表面と裏面との両面を使用することを想定している。
しかしながら、第１面のみにラバーを貼った場合でも「イーグルグリップ」によるラケットの把持方法は、ペンホルダーグリップの打法よりも威力を増したフォアとバックを打つ事ができる。
【００３０】
グリップ１０は、使用者が手で握る部分であり、ブレード４の基端部８において、ブレード４の外周縁から突出するように設けられている。
本第１実施形態において、グリップ１０は、ブレード４の基端部８から外側へ突出するように延びているグリップ芯体２０と、グリップ芯体２０におけるブレード４の第１面１２側に配設された第１突出部材としての第１突出ブロック２２と、グリップ芯体２０におけるブレード４の第２面１６側に配設された第２突出部材としての第２突出ブロック２４とを備えている。
【００３１】
グリップ芯体２０は、ブレード４の基端部８の外周縁から延出した部分であり、通常ブレード４と同じ材料で一体的に形成されている。このため、グリップ芯体２０の厚さは、ブレード４の厚さと通常同じである。
【００３２】
第１突出ブロック２２は、直方体状をなしている。第１突出ブロック２２に使用される材料としては、特に限定されるものではないが、好ましくはコルク材が用いられる。つまり、第１突出ブロック２２は、直方体状に加工されたコルク材により形成される。そして、形成された第１突出ブロック２２は、グリップ芯体２０におけるブレード４の第１面１２の側に接合される。
【００３３】
第２突出ブロック２４も、直方体状をなしている。第２突出ブロック２４に使用される材料としては、特に限定されるものではないが、この部材も好ましくはコルク材が用いられる。つまり、第２突出ブロック２４は、直方体状に加工されたコルク材により形成され、グリップ芯体２０におけるブレード４の第２面１６の側に接合される。
【００３４】
グリップ芯体２０におけるブレード４の先端部６とは反対の側に位置する終端面２１、第１突出ブロック２２におけるブレード４の先端部６とは反対の側に位置する終端面２３、及び第２突出ブロック２４におけるブレード４の先端部６とは反対の側に位置する終端面２５は面一となっており、これらが協働してグリップ１０の終端面２６を形成している。この終端面２６は、グリップ１０が使用者に握られた際に、使用者の掌と当接するための掌当接面２８となる。
尚、掌当接面２８の形成部位は、第１実施形態においては、グリップ芯体２０の終端面２１、第１突出ブロック２２の終端面２３、及び第２突出ブロック２４の終端面２５が一体となって掌当接面２８を形成させたが、必ずしも三者が協働して掌当接面２８を形成させる必要もなく、これらの三者の少なくとも一つに形成させるようにしてもよい。
【００３５】
図２に示すように、第１突出ブロック２２におけるブレード４の先端部６側の端面３０は、グリップ１０が使用者に握られた際に、使用者の示指９２（図６，図７Ａ、図７Ｂ参照）と接触する示指接触面３２となる。つまり、第１突出ブロック２２におけるブレード４の先端部６側は、使用者の示指９２が掛けられるための示指かけ部となる（図８参照）。
【００３６】
第１突出ブロック２２には、上記のように使用者の示指９２が掛けられるので、第１突出ブロック２２におけるブレード４の第１面１２からの突出高さＴ１（図３参照）は、示指９２が引っ掛かるのに十分な寸法（高さ）を有していればよく、好ましくは、示指９２の幅（指の太さ）とほぼ同じ寸法に設定する。
【００３７】
第２突出ブロック２４におけるブレード４の先端部６側の端面３４は、図２に示すように、グリップ１０が使用者に握られた際に、使用者の少なくとも中指９３と接触する中指接触面３６となる。つまり、第２突出ブロック２４におけるブレード４の先端部６側は、使用者の中指９３がかけられるための中指かけ部となる（図９参照）。
【００３８】
第２突出ブロック２４には、上記のように使用者の中指９３が掛けられるので、第２突出ブロック２４におけるブレード４の第２面１６からの突出高さＴ２（図３参照）は、中指９３が引っ掛かるのに十分な寸法（高さ）を有していればよく、好ましくは、中指９３の指の太さとほぼ同じ寸法に設定する。
尚、第１突出ブロック２２及び第２突出ブロック２４のブレード面からの高さＴは、高さ調整部材によって、使用者の手や指のサイズ、好みにより任意に設定できる。
図４に示す卓球ラケット５２は、グリップ１０が、グリップ芯体２０と第１突出ブロック２２との間に配設された第１高さ調整部材５４と、グリップ芯体２０と第２突出ブロック２４との間に配設された第２高さ調整部材５６とで構成されている。
【００３９】
第１高さ調整部材５４は、第１面１２側に位置する第１突出ブロック２２の第１面１２からの突出高さＴ１を調整するための部材であり、突出高さＴ１を増減させるために所定の高さ寸法を有しているとともに、第１突出ブロック２２の平面視形状と同じ平面視形状を有している。第１高さ調整部材５４に使用される材料としては、特に限定されるものではないが、好ましくはコルク材が用いられる。第１高さ調整部材５４は、グリップ芯体２０におけるブレード４の第１面１２に接合される。そして、第１高さ調整部材５４の図８中における上側に第１突出ブロック２２が接合される。
【００４０】
第２高さ調整部材５６は、第１高さ調整部材５４と同様に、第２面１６側に位置する第２突出ブロック２４の第２面１６からの突出高さＴ２を調整するための部材であり、突出高さＴ２を増減させるために所望の高さ寸法を有しており、グリップ芯体２０におけるブレード４の第２面１６に接合され、第２高さ調整部材５６の図４中における下側に第２突出ブロック２４が接合される。
【００４１】
第２高さ調整部材５６により高さが調整された第２突出ブロック２４の突出高さＴ２は、例えば、使用者の中指９３の太さ（幅）に薬指９４の太さとほぼ同じ長さを追加した寸法に設定することができる。この場合、第２突出ブロック２４は、中指接触面３６Ａには中指９３だけではなく、薬指９４を掛けるようにすることができる。更に、第２高さ調整部材５６により高さが調整された第２突出ブロック２４の突出高さＴ２は、例えば、中指９３の太さに、薬指９４及び小指９５の太さとほぼ同じ長さを追加した寸法に設定すれば、第２突出ブロック２４の中指接触面３６Ａには、中指９３だけではなく、薬指９４及び小指９５を掛けるようにすることができる。
【００４２】
このように、第２突出ブロック２４のブレード４の第２面１６からの突出高さＴ２を第１突出ブロック２２の第１面１２からの突出高さＴ１よりも高くすると、薬指９４や小指９５によっても第２突出ブロック２４を掴めるようになり、グリップ１０を握る際の安定性が増す。
【００４３】
以上のように、第１高さ調整部材５４及び第２高さ調整部材５６を介在させることにより、グリップ１０におけるブレード４の板面に対して直交する方向の高さ（長さ）を調整することができ、使用者の手の大きさに合ったグリップを形成することができる。また、薬指、小指も協働してグリップを鷲掴みする際の調整を容易にする。
【００４４】
次に、第１突出ブロック２２の長手方向の長さ、つまり、示指接触面３２から掌当接面２８までの長さＬ１、及び第２突出ブロック２４の長手方向の長さ、つまり、中指接触面３６から掌当接面２８までの長さＬ２（いずれも図３参照）についても、使用者（プレーヤー）の手、掌、指の位置、大きさ、長さ、太さ、肉付き、握ったときの力の入り具合、フィーリングなどにより適宜長に設定すればよい。
例えば、掌当接面２８に使用者の掌９９を当接させた場合に（図６、図７Ａ、図７Ｂ参照）、示指接触面３２には、使用者の示指９２のどの関節を曲げた状態で示指９２を掛けるかによって、第１突出ブロック２２の長さＬ１の適宜値が決定され、第２突出ブロック２２の長さＬ２についても同様である。
【００４５】
図６は、指や掌の名称とそれらの各部位の所在位置を示す図であり、医療、技術等の分野において一般に使用されている学術用語又はそれに相当する用語を用いて説明する。
右手でラケットを把持する場合、図６に示す各指は、右から順に母指９１、示指（人差し指）９２、中指９３、薬指９４、及び小指９５であり、掌９９の母指９１の、付け根近傍の膨らみ部位を母指球９６、その他の４本の指の付け根近傍の膨らみ部位を指尖球９７と呼ばれている。
掌９９には、手の動きに合わせて、人それぞれに特長的な皺が現れ、それらは掌線と呼ばれている。掌線は、骨格や筋肉、手の使い方によってその位置はおおよそ一定した位置に現れる。指尖球９７の裾野付近には、小指９５から示指９２に向かって掌線９９ａが水平に走り、掌線９９ａは、手相術の分野では感情線と呼ばれている。この感情線９９ａに向かって図中下方から感情線９９ａと合流するように斜め上方に知能線９９ｂが走り、更に知能線９９ｂの下方から、略母指球９６の裾野に沿って斜め上方に生命線９９ｃが走っている。
【００４６】
本発明に係る卓球ラケットの掌当接面２８を、使用時に当接させる掌９９の部位は、上記母指球９６と指尖球９７の間、特に示指９２の付け根近傍の部位の間に形成される、図６において斜線で示す領域（この領域を「掌グリップ受容部位」と言う）９８で定義することができ、図６において上述した知能線９９ｂが、掌グリップ受容部位９８の領域の上側境界を区画している。
そして、示指９２は、尖端から末節骨９２ａ（指の先の爪の付いた部分の骨）の部位、中節骨部位９２ｂ（指の真中部分の骨）の部位、及び基節骨９２ｃ（指の根元の骨）の部位を備えており、これらの内、示指接触面３２には、示指９２の関節を曲げた状態で、末節骨９２ａの部位、中節骨部位９２ｂの部位を接触させることができ、基節骨９２ｃを接触させることは難しい。中指９３は、尖端から末節骨９３ａの部位、中節骨部位９３ｂの部位、基節骨９３ｃの部位を備え、これらの内、中指接触面３６には、中指９３の関節を曲げた状態で、末節骨９３ａの部位、中節骨部位９３ｂの部位、更には基節骨９３ｃの部位を接触させることができる。
【００４７】
例えば、第１突出ブロック２２の長さＬ１は、図６に示す掌線（例えば、知能線９９ｂ）と第１突出ブロック２２の示指９２を添わせる側面を基準に選択すると、以下に説明する方法によって容易に設定することができる。
すなわち、掌当接面２８の側縁２８ａ（図１参照）を、掌９９の知能線９９ｂに宛がうように掌当接面２８を掌グリップ受容部位９８に押し当て、示指９２を、第１突出ブロック２２の側部に密着して沿うように宛がい、掌当接面２８から示指９２の先端関節位置９２ｄ（図６、図７Ｂ参照）までの距離を求め、これを第１突出ブロック２２の適宜長さＬ１に設定すればよい。
【００４８】
より簡易的には、ラケット使用者の掌の感情線９９ａと示指９２の先端関節位置９２ｄの離間距離を測定し、その測定値から第１突出ブロック２２の適宜長さＬ１を設定してもよい。
第２突出ブロック２５の適宜長さＬ２は、上述のように求めた第１突出ブロック２２の適宜長さＬ１から、示指９２と中指９３の先端関節位置差を加算して容易に設定することができる。
【００４９】
図５に示す卓球ラケット８２は、そのグリップ１１０が第１突出ブロック１２２、グリップ芯体１２０及び第２突出ブロック１２４を含んで構成され、第１突出ブロック１２２と第２突出ブロック１２４の長さＬ１、Ｌ２が異なるものを使用した変形例を示している。
第１突出ブロック１２２及び第２突出ブロック１２４は、使用者の示指９２及び中指９３がそれぞれ接触する示指接触面３２、中指接触面３６を有し、第１突出ブロック１２２及び第２突出ブロック１２４の各終端面１２３、１２５及びグリップ芯体１２０の終端面１２１が面一となり、これらが協働してグリップ１１０の終端面、すなわち、グリップが使用者に握られた際に、使用者の掌と当接する掌当接面２８を形成している。
【００５０】
ここで、第１突出ブロック１２２の好適な長さＬ１は、使用者が最も安定的にグリップ１１０を把持するに必要な長さと考えられるので、第１突出ブロック１２２の長さＬ１は、前述したとおり、掌当接面２８に使用者の掌９９のグリップ受容部位９８を当接させた状態で、例えば、示指９２の先端の関節９２ｄを折り曲げて示指９２（末節骨の部分）を示指接触面３２に接触させ、且つ、示指９２を、第１突出ブロック１２２の側部に密着して沿うように配置したときの、掌当接面２８の掌当接位置から折り曲げた示指９２の先端関節位置までの距離として求めることができる。
【００５１】
第２突出ブロック１２５の適宜長さＬ２は、上述のように求めた第１突出ブロック１２２の適宜長さＬ１から、示指９２と中指９３の先端関節位置差を加算して容易に設定することができる。
本発明に係る卓球ラケットは、グリップの第１及び第２ブロックを鷲掴みにすること（イーグルグリップ）を技術的思想としているので、示指９２と中指９３の指長さ等の相違に応じて、第１突出ブロック１２２の長さＬ１及び第２突出ブロック１２５の長さＬ２を適宜長に設定ることにより、より安定してグリップ１１０を把持することができる。
【００５２】
上述の説明で明らかなように、グリップ１０の各部の高さや長さＴ１、Ｔ２、Ｌ１、Ｌ２については、上記の条件を満たしていれば使用者の手のサイズや好みにより、示指や中指のどの部位を当接面に当接させるかなどの選択、長さＬや高さＴの設定などが任意に可能であることが分かる。
【００５３】
ここで、第２突出ブロック２４の突出高さＴ２は、第１実施形態の発明にあっては、上記した第１突出ブロック２２の突出高さＴ１と同じ高さに設定されている。Ｔ１とＴ２とを同じ高さとした場合、どちらか一方を高くした場合に比べ、ラケット全体に占めるグリップの重さの割合が小さくなり、ラケット全体として軽量化でき、試合中における使用者の負担軽減に貢献する。
第１突出ブロックと第２突出ブロックとが同じ突出高さであると、表裏で対称の形となるので、手に馴染みやすく操作性が向上する。この場合、第１面を掌側、第２面を手の甲側となるように握っていた卓球ラケットを、第１面を手の甲側、第２面を掌側となるように握りを変更すること（以下、「面の切り替え」という）が、試合中でも楽に行え、攻撃のバリエーションを増やすこともできる。
【００５４】
次に、卓球ラケット２の握り方について、図６〜図９を参照して説明する。
まず、示指９２と中指９３との間にブレード４を挟むと共に（図８参照）、グリップ１０の掌当接面２８を上述した掌グリップ受容部位９８（図６における斜線領域）に当接させる。この状態で示指９２及び中指９３を曲げて示指９２を示指接触面３２に接触させると共に、中指９３を中指接触面３６に接触させる。このとき、示指９２は、第１突出ブロック２２の側部に密着して沿うように配置し、母指９１は、第１突出ブロック２２の反対側の側部に密着するように沿わせて配置するのが好ましい。また、薬指９４は中指９３に沿うように、小指９５は薬指９４に沿うようにそれぞれ曲げる。
【００５５】
尚、図７Ａは、示指９２の中節骨部位９２ｂを示指接触端面３２に接触させ、グリップ２２の示指接触端面３２を深く巻くように掴んだ状態を示し、このとき、図９は、中指９３をグリップ２２の中指接触面３６を深く巻くように掴んだ状態を示す。このようにグリップを深く巻くよう掴むと、グリップの安定性がよくなる。深く巻くグリップの掴み方についての詳細は後述する。
【００５６】
また、示指９２の末節骨部位９２ａをグリップ２２の示指接触端面３２に接触させ、示指の先端を浅く当接させ（図７Ｂ参照）、中指９３もグリップ２２の中指接触面３６を浅く当接させて、グリップ２２を掴むこともできる。この場合にも、母指９１は、ブレードの先端部６を下にして第１面１２を見たとき、ブレード基端部８の示指接触面右側近傍（図７Ｂに示す斜線領域８ａ）を母指９１で強く押さえてグリップを握ると、グリップ２２を、示指９２、中指９３、及び母指９１の３点支持より安定的に、且つ確りと握ることができる。
そして、示指９２と母指９１とにより第１突出ブロック２２を両側から挟み込み、グリップ１０の掌当接面２８を掌９９のグリップ受容部位９８に当接させて第１突出ブロック２２を支持するので、第１突出ブロック２２に添わせる示指９２及び母指９１の支持点がグリップ受容部位９８、従って掌当接面２８から遠ざかる程、すなわち第１突出ブロック２２の長さＬ１が長い程、グリップ１０を安定的に把持することができる。
【００５７】
このように、使用者は、第１突出ブロック２２の側部を示指９２と母指９１により支え、中指９３を第２突出ブロック２４の中指接触面３６に接触させて、卓球ラケット２のグリップ１０の全体を、掌９９のグリップ受容部位９８の中に包み込むように保持でき、いわゆる鷲掴み状態でグリップ１０を握ることができる。これが従来のペンホルダーやシェークハンドグリップと対比させて定義する「イーグルグリップ」である。
【００５８】
本実施形態の卓球ラケット２では、上記のようにグリップ１０を握るので、図７Ａに示すように、卓球ラケット２のラケットヘッドとグリップエンドとを結んだ中心軸線Ｘ１が、使用者の前腕９７の軸線Ｘ２が延びる方向に沿って延びる。これにより、まず、ブレード４の板面が延びる方向が、使用者の前腕９７の軸線Ｘ２が延びる方向と一致することになるので、イーグルグリップは、ペンホルダーラケットのように交差角が生じることはない。このため、卓球ラケット２は、ブレードの板面が使用者の前腕の軸線に対して傾くことなく保持される。よって、卓球ラケット２は、フォアハンドストローク及びバックハンドストロークを以下のようにして行うことができることから、以下に示すような効果を得ることができる。
【００５９】
まず、例えば、右利きの使用者がフォアハンドストロークを行う場合、図８に示すように、手の甲１００が上、掌９９が下の状態にすることにより第１面１２に貼られた第１ラバー１４を相手側に向けられるので、この状態でスイングすれば、第１面１２の側の第１ラバー１４でボールを打つことができる。
このとき、ボールを下方から上方に、ボールの上半部を擦るように持ち上げてスイングすると、上回転のドライブ打法が可能であり、腕を真っ直ぐに伸ばして強打すると、スピードとスピンが掛った強烈なドライブ打法が可能である。
【００６０】
更に、主として示指９２と中指９３の指使いで、掌当接面２８が受容される掌のグリップ受容部位９８を支点として第１及び第２突出ブロック２２，２４を引き上げるようにしてスイングすると（これをイーグルグリップによる「プルスイング」又は「回転スイング」という）、図８に示す概略ＸＳ軸で示す軸周り（図中矢印ＳＷ１又はＳＷ２で示す）にラケット２を回転させる打球が可能である。この指使いにより所望のスピンを掛けることができ、更にまた、指使いに加えて手首の返し（スナップ）を利かせると、「回転スイング」による更に強力なスピンが掛かったドライブ打法が可能である。
【００６１】
従来のシェークハンド打法では手首の返しのみで生まれていたドライブ（球の前方への回転）が、このラケットでは更に指先の動きを加えたスピン回転を掛けることができ、シェークハンド打法を超えるドライブを産み出す卓球ラケットを提供することができる。
第１面でバックハンドストロークを行う場合にも、ペンホルダーでは交差角の影響で右手利きの場合は打った球が左側に逸れる、といった問題があるが、本発明のイーグルグリップでは、このような問題が無く、手の動く方向に威力のある返球をする事が出来る。シェイクハンド打法では第１面でバックを打つ事がないので、イーグルグリップによる第１面の打球は効果的な相手への打撃となる。しかし、この打法でも十分なドライブ（前方回転）をボールに与えることには限界があるので、相手がカット（後方回転）を加えて来たボールに対しては、後述する、効果的なドライブが作れる第２面でのバックハンドストロークが望ましい。
【００６２】
第２面でバックハンドストロークを行う場合、図８に示すように、手の甲９８が上、掌９９が下の状態のまま、卓球ラケット２を身体の左側に引くだけで第２面１６に貼られた第２ラバー１８を相手側に向けられるので、この状態でスイングすれば第２面１６の第２ラバー１８でボールを打つことができる。つまり、バックハンドストロークの際に腕をひねって第１面１２を相手側に向ける動作をすることなく、第２面１６の第２ラバー１８を使って、簡単にバックハンド側のボールの処理をすることができるので、バックハンド側の対応が第１面のみを使うペンホルダーラケットに比べて容易で早く且つ効果的になる。
【００６３】
第２面で打つバックハンドストロークはシェイクハンドストロークの場合に常用であるが、この打法はペンホルダーラケットでも使われていて、しばらく前には中国選手でこの打法を用いた世界チャンピオンが現れた様に、すでに一般的である。イーグルグリップラケットでこの打ち方をバックハンドスイングで行うと、二つのことでペンホルダーラケットを凌駕している。１）交差角がないために左右の広い範囲に来たボールに対してこの打法が適用できる。２）中指を軸にスイング（前述した「回転スイング」）をしてボールに強烈なドライブを生み出せる。後者の利点は、手首の回転でドライブを産み出すシェークハンドスイングにない利点でこの打法の選手に大変有利な状況を作り出す。
【００６４】
以上のように、本発明に係る卓球ラケット２は、ペンホルダーラケットで問題となっているバックハンドでの弱点を克服することができると共に、ペンホルダーラケットでの第１面のバックハンドスイングを強化したことにより、シェイクハンドラケットに対してさらに有利な状況を産み出すことができる。
【００６５】
また、イーグルグリップを用いたスイングは、中心軸線Ｘ１が、使用者の前腕９７の軸線Ｘ２が延びる方向に沿う方向に延びていることから、シェークハンドラケットのように、ラケットの中心軸線を腕の軸線から曲げることなく打ち込むことが出来る。さらに、ラケットはペンホルダーラケットの様に指先でも操作できるので、本発明に係る卓球ラケット２は、シェークハンドラケットに比べて、卓球台上での操作性が良く、また、卓球台上でも上回転のスピンを容易にかけられるので、卓球台上での攻撃性にも優れている。
【００６６】
更に、卓球ラケット２では、フォアハンドストロークの際に、図９中の矢印Ｂで示すように、手の甲９８が下、掌９９が上の状態になるように手首を回動させるだけで、第２面１６の側の第２ラバー１８を相手側に簡単に向けられる。この状態でやはり中指を軸にラケットをで回転させて回転スイングすれば、フォアハンドストロークで第２面１６の側の第２ラバー１８でボールを打つことができる。このフォアハンドスイングを第２面（裏面）で打つ打ち方はこれまで卓球界で知られていない、或いは少なくとも実用されていなかった打ち方であり、通常のフォアハンドスイングとは全く異なったタイミングで、極めて効果的なドライブの効いた球を繰り出す事が出来、相手選手は容易には対応できない打ち方になる。この打ち方は第２面でバックハンドスイングをする場合と同様に、卓球台の台上で打つ場合に向いている。最近の卓球の実戦ではサービスに続く台上の戦いがゲームを決定する事が多く、先取速攻型のゲームの決定的な武器になると考えられる。
【００６７】
また、バックハンドストロークの際、図９に示すように、手の甲１００が下、掌９９が上の状態のまま、卓球ラケット２を身体の左側に引くだけで第１面１２の側の第１ラバー１４を相手側に向けられるので、この状態でスイングすれば第１面１２の側の第１ラバー１４でボールを打つことができる。つまり、バックハンドストロークにおいても、第２面１６の側の第２ラバー１８で打った場合と異なる球種のボールを打つことができる。
【００６８】
旧来のペンホルダーラケットでは、フォアハンドストロークもバックハンドストロークも第１面の側のラバーでしか打球できない。シェークハンドラケットでは、基本的にフォアハンドストロークでは、第１面の側のラバーでしか打球できず、バックハンドストロークでは、第２面の側のラバーでしか打球できない。
これに対し、本発明に係る卓球ラケット２は、上記のように、フォアハンドストロークでは第１面１２の側の第１ラバー１４での打球及び第２面１６の側の第２ラバー１８での打球が簡単に選択でき、バックハンドストロークでも、第１面１２の側の第１ラバー１４での打球及び第２面１６の側の第２ラバー１８での打球が簡単に選択できる。つまり、本発明に係る卓球ラケット２は、従来の卓球ラケットに比べ、多彩な球種のボールを容易に打つことができる優れた卓球ラケットであるといえる。これも、グリップ１０を上記のように鷲掴み状態で握ることができるグリップ（イーグルグリップ）の形状によりもたらされるものである。
【００６９】
本発明に係る卓球ラケットは、上述したとおり、イーグルグリップにおいて、中指接触面に接触する中指と母指で第１突出ブロック２２の長手方向の軸線（図７Ａに示すＸ１軸）周りに右回転にひねり、母指をブレード面に直角に位置すれば、ブレード面が台に直角な位置を取り、ペンホルダーの「ショート」の守備あるいは攻撃を容易に行うことができる。このグリップの切り替えは、第２面側のグリップ端面に角度を付けたテーパー部や切欠きを設けることにより、「ショート」へのスムーズな移動を容易にすることができる。
【００７０】
尚、上述した第１実施形態のグリップ掌当接面の端面形状は、円形、楕円形、矩形等、特に限定するものではないが、グリップの掌当接面の周縁がなだらかな曲面であるよりは、エッジ効果のある稜線を有する平坦面に形成されているのが好ましく、滑りを防止し、良好なグリップ感が得られる。
尤も、掌当接面を周縁がなだらかな曲面で形成することもでき、この場合には、別途、第３実施形態で後述する、グリップが掌グリップ受容部位９８の所望の位置に安定的に受容されるための手段が備えられることが好ましい。
【００７１】
（第２実施形態）
図１０Ａ及び図１０Ｂは、本発明に係る第２実施形態の卓球ラケット２Ａを示し、このラケット２Ａは、第１実施形態のラケットのイーグルグリップの基本機能を保持したまま、グリップ端面にテーパ部（或いは切欠き部）を設け、伝統的なペンホルダーラケットの「ショート」の守備あるいは攻撃を容易にするグリップ機能を付加したもので、台上でのペンホルダー特有の打法が付加的に実現できるグリップ形状を備えている。
尚、第２実施形態のグリップ形状を説明するに当たり、既に説明した第１実施形態に係る卓球ラケット２と実質的に同じ、又は類推可能に類似する構成及び機能を有するものについては、第１実施形態に係る卓球ラケット２と同じ参照符号を付してその詳細な説明を省略する（後述する他の実施形態、変形例の説明においても同様）。
【００７２】
又、図１０Ａは、第２実施形態の卓球ラケット２Ａのグリップ１０Ａの部分のみを示したもので、図１において一点鎖線で示す円Ｃで囲まれる第１実施形態のグリップ１０に対応する部分のみを示している。
図１０Ａに示す卓球ラケット２Ａのグリップ１０Ａは、グリップ芯体２０を挟んで第１突出部材としての第１突出ブロック２２と第２突出部材としての第２突出ブロック２４Ａで構成され、第２突出ブロック２４Ａの終端面を切り欠くようにして形成させたテーパ面２９Ａが形成されている（尚、テーパ面２９Ａの形成方法には特に限定するものではない）。このテーパ面２９Ａは、ブレード第２面１６と３０〜６０°の傾斜角度α、図１０Ａでの例示では約４５°の傾斜角度をなして形成されており、その上端縁がグリップ芯体２０の終端面２１に接してグリップ芯体２０に貼着されている。一方、第１突出ブロック２２は、ブレードの第１面１２側のグリップ芯体終端面２１に接して配置されている。
【００７３】
この場合、第１突出ブロック２２の終端面２３とグリップ芯体２０の終端面２１の二つが面一となって、掌当接面２８Ａを構成することになり、図中、第１突出ブロック２２の端面３０は、示指接触面３２Ａであり、第２突出ブロック２４Ａの端面３４は、中指接触面３６Ａである。  
【００７４】
図１０Ａに示す卓球ラケット２Ａのグリップ１０Ａは、第１突出ブロック２２と第２突出ブロック２４Ａの長さＬ１，Ｌ２がそれぞれ、３５ｍｍ、４０ｍｍであり、第１突出ブロック２２Ａの終端面２３、すなわち掌当接面２８Ａからの示指接触面３２Ａ及び中指接触面３６Ａの各離間距離を、示指９２と中指９３の指長の差分に設定しておけば、良好なグリップ感が得られ、グリップ１０Ａを確りと鷲掴みすることができる。
【００７５】
そして、第２突出ブロック２４Ａは、その終端面２９Ａが傾斜面で形成させてテーパ部を構成しており、このテーパ部は、イーグルグリップからペンホルダーの「ショート」の守備あるいは攻撃への移行時に、掌当接面２８Ａに当接していた掌グリップ受容部位９８の移動を容易且つ円滑にさせる。テーパ部の終端面２９Ａに掌グリップ受容部位９８（図６参照）を宛がうと、図１０Ｃに示すように、ペンホルダータイプの握りを違和感なく実現させることができる。第２突出ブロック２４Ａのテーパ部をなす終端面２９Ａは、「第２掌当接面」と称することが出来る。
【００７６】
卓球ラケット２Ａをイーグルグリップから「ショート」のグリップへの握り替えは、上述したとおり、示指９２で第１突出ブロック２２を支えながら、中指９３で第２突出ブロック２４Ａを押圧し、母指９１で第１突出ブロック２２近傍８ａ（図７Ｂ参照）においてブレード８を押し上げ、母指９１をブレード面に対して直立させるように押圧し、図７Ａに示す軸Ｘ１周りにラケット２Ａを捻るような指使いによって、迅速に且つ滑らかに「ショート」のグリップへの握り替えが行える。
【００７７】
特許文献１の第７図及び第８図に示すような、ペンホルダーの特長である、ラケットの第１面でボールを捕らえられるように腕をひねってするスイングを、卓球ラケット２Ａを使って実現することができる。即ち、相手が正面に向かって強打したボールを、バックハンドでラケットに当てるようにして、巧みな指使いにより所望の方向に「ショート」打法で打ち返すことができ、シェークハンドラケットに比べて卓球台上での優れた操作性を実現できる。
【００７８】
（第２実施形態の変形例）
図１１（ａ）に示す卓球ラケット２Ｂのグリップ１０Ｂは、グリップ芯体２０を挟んで第１突出部材としての第１突出ブロック２２Ｂと第２突出部材としての第２突出ブロック２４Ｂで構成されるが、ブレードの第１面１２側に配置される第１突出ブロック２２Ｂは、グリップ芯体２０の終端面２１から長手方向外方に突出して取付られており、突出端２３Ｂに掌当接面２８Ｂが形成される。一方、第２突出ブロック２４Ｂは、グリップ芯体の終端面２１に接してブレードの先端部側に配置されている。
この場合、第１突出ブロック２２Ｂの終端面２３Ｂのみが掌当接面２８Ｂを構成することになり、図中、第１突出ブロック２２Ｂの端面３０は、示指接触面３２Ｂであり、第２突出ブロック２４Ｂの端面３４は、中指接触面３６Ｂである。
【００７９】
尚、第１突出ブロック２２Ｂの示指接触面３２Ｂと第２突出ブロック２４Ｂの中指接触面３６Ｂの、各掌当接面２８Ｂからの距離の差を、示指９２と中指９３の指長の差分に設定しておけば、良好なグリップ感が得られ、グリップ１０Ｂを確りと鷲掴みすることができる。
図１１（ａ）に示したグリップ１０Ｂは、第２突出ブロック２４Ｂから断面長楕円４分割形状の柱状体をなす、図中斜線で示す部分２５ｂを切り欠くようにして形成させた終端面２９Ｂが備えられており、図１０Ａ〜図１０Ｃを参照してした説明から容易に類推されるように、終端面２９Ｂが第２掌当接面となり、第２掌当接面２９Ｂに掌グリップ受容部位９８（図４参照）を宛がうと、ペンホルダータイプの握りを違和感なく実現でき、この場合にもペンホルダーラケットの特長である、台上での「ショート」打法が可能となる。
【００８０】
図１２は、第２実施形態の別の好ましい変形例の卓球ラケット２Ｃを示す。卓球ラケット２Ｃのグリップ１０Ｃは、グリップ芯体２０を挟んで第１突出部材としての第１突出ブロック２２Ｃと第２突出部材としての第２突出ブロック２４Ｃで構成される。
第２突出ブロック２４Ｃは、図１０Ａに示した第２実施形態の第２突出ブロック２４Ａと類似した形状を有しており、その終端面の一部を切り欠いたようにして形成されているテーパ面２９Ｃが、図１０Ａの第２実施形態に形成されているテーパ面２５Ａより大きな角度（約６０°）をなしている点で異なっている。
【００８１】
また、グリップ芯体２０の終端面２１Ｃがほぼ円筒面をなして外側に突出するように形成されている。第１突出ブロック２２Ｃの終端面２３Ｃも、第２突出ブロック２４Ｃの終端面２９Ｃに平行するように傾斜するテーパ面を形成しており、第１突出ブロック２２Ｃが貼着されるブレード第１面１２上でグリップ芯体２０の終端面２１Ｃと曲面をなして滑らかに接続されている。従って、図１２に示す卓球ラケット２Ｃの場合、曲面で滑らかに接続される円筒状のグリップ芯体の終端面２１Ｃと第１突出ブロック２２Ｃの終端面２３Ｃとで形成される、側面視で一方の傾斜が他方より長いなだらかな谷状の窪みが掌当接面２８Ｃとなる。そして、この掌当接面２８Ｃと掌グリップ受容部位９８の両者が互いに適合して嵌り合い、掌当接面２８Ｃが安定的に掌グリップ受容部位９８に受容され保持されることによって、グリップ１０Ｃの滑りを防止して、ラケット使用者（プレーヤー）に、滑りがなく、安定したグリップ感を与える。
この場合、第１突出ブロック２２Ｃの傾斜する終端面２３Ｃと、グリップ芯体２０の円筒面をなして外側に突出する終端面２１Ｃとが掌当接面２８Ｃを構成することになり、図中、第１突出ブロック２２Ｃの端面３０は、示指接触面３２Ｃであり、第２突出ブロック２４Ｃの端面３４は、中指接触面３６Ｃである。
【００８２】
そして、第２突出ブロック２４Ｃのテーパ面２９Ｃ(第２掌当接面）は、イーグルグリップからペンホルダーの「ショート」の守備あるいは攻撃への移行時、掌当接面２８Ｃに当接していた掌グリップ受容部位９８を、容易且つ円滑に移動させることができる。そして、テーパ部の終端面２９Ｃに掌グリップ受容部位９８（図６参照）を宛がうと、テーパ部が第２掌当接面となって、ペンホルダータイプの握りを違和感なく実現させることができ、「ショート」の打法を本発明の卓球ラケットでも行うことができる。
【００８３】
[第３実施形態] 
本発明に係る卓球ラケットの第３実施形態について、図１３Ａ及び図１３Ｂを参照して説明する。
第３実施形態の卓球ラケットは、図１乃至図３に示す第１実施形態の卓球ラケットや、第１実施形態に関連して例示した変形例の卓球ラケットに対し、又、図１０Ａ乃至図１０Ｃに示す第２実施形態の卓球ラケットや第２実施形態に関連して例示した変形例の卓球ラケットに対し、グリップ滑り防止機能や、鷲掴みにしてグリップを握ったとき、グリップの終端面を掌の所望位置に位置決めするための手段を更に付加したものである。
尚、掌当接面の端面形状により付与したグリップの滑り防止機能については、第１実施形態及び第２実施形態の説明においてすでにその一部を例示している。
【００８４】
図１３Ａ及び図１３Ｂに示す第３実施形態の卓球ラケット２Ｄのグリップ１０Ｄは
、グリップ芯体２０を挟んで第１突出部材としての第１突出ブロック２２Ｄと第２突出部材としての第２突出ブロック２４を備え、この卓球ラケット２Ｄの場合、第１実施形態の卓球ラケット２と同様に、第１突出ブロック２２の終端面２３Ｄ、グリップ芯体２０の終端面２１、及び第２突出ブロック２４の終端面２５が面一となっており、これらが協働してグリップ１０Ｄの終端面２６を形成している。この終端面２６は、グリップ１０Ｄが使用者に握られた際に、使用者の掌と当接するための掌当接面２８Ｄを構成することになり、図中、第１突出ブロック２２の端面３０は、示指接触面３２Ｄであり、第２突出ブロック２４の端面３４は、中指接触面３６である。
掌当接面２８Ｄは、使用者がグリップ１０Ｄを握った際に掌９９のグリップ受容部位９８（図６参照）に受容される。尚、掌９９側に位置する掌グリップ受容部位９８の近傍であって、手の甲１００側の部位１００ａ（図７Ａ参照）は甲合谷と呼ばれている。
第１突出ブロック２２Ｄは、その上面に配設されたサポートプレート６４を更に備えて構成されている。そしてサポートプレート６４は、第１突出ブロック２２Ｄを把持する示指９２及び母指９１、並びに、上述した甲合谷部分１００ａ（図７Ａ参照）の少なくとも一つと接触するサポート面６６ｃを備えている。
【００８５】
このサポートプレート６４は、ブレード４の先端部６とは反対の方向に向かって掌当接面２８Ｄよりも突出しているテール部６６を有している。そしてテール部６６の下面６６ｃは、使用者が卓球ラケット６２を握った際に、使用者の甲合谷部分１００ａがサポートプレートの下面６６ｃに密着する、又は当接することより、掌グリップ受容部位９８（図６参照）の所望位置に掌当接面２８をガイドしてその位置に宛がうことができ、また、卓球ラケット６２のぶれ（滑り）を抑える。これにより、卓球ラケット６２を握った際、及びスイング時のグリップ安定性が増す。
【００８６】
サポートプレート６４は、第１突出ブロック２２Ｄよりも長尺で厚みが薄い矩形の板状をなしている（図１３Ｂの（ａ）参照）。サポートプレート６４に使用される材料としては、特に限定されるものではないが、比較的曲げ強度が高く軽量な木材を用いることが好ましい。
【００８７】
尚、この第３実施形態においても、第２実施形態で用いた高さ調整部材５４、５６を追加しても構わないし、第１突出ブロック２２Ｄ及び第２突出ブロック２４の高さや長さについても使用者の指の長さや掌の大きさなどに応じ適宜に設定すればよい。
また、サポートプレートの形状は、図１４Ｂの（ｂ）に示すように、第１突出ブロック２２Ｄの示指接触面３２Ｄから掌当接面２８Ｄに向かって、プレート側縁６６ａが第１突出ブロック２２Ｄの両側の側壁縁を取り巻くように徐々に外方に膨出し、テール部６６の下面６６ｃを鍔状に形成させることもできる。この場合、グリップ１０Ｄを握った使用者の母指９１、示指９２及び甲合谷部分１００ａ（図７Ａ参照）がサポートプレートの下面６６ｃに密着する、又は当接することより、グリップ位置の移動が制限され、グリップ安定性を増すことができる。
【００８８】
更に、第１突出ブロック２２Ｄについては、サポートプレート６４に相当する部分を一体的に、一つの部材で形成しても構わない。つまり、第１突出ブロック２２Ｄにおいて、その終端面２３の上部が後方に延出するようにしてテール部６６を一体的に設けても構わない。
更に又、図１３Ａにおいて斜線で示す部分２５ｂを、図１１で説明したと同様に削りとって、切欠き部を設けることにより第２掌当接面２９Ｄを形成し、ペンホルダーの「ショート」への移行を円滑、容易にすることもできる。
尚、「ショート」への移行を円滑、容易にするためには、示指９２や母指９１の指使いの妨げにならないように、サポートプレートのテール部６６は、図１３Ｂの（ａ）や（ｃ）に示す形状のものが好ましい。
【００８９】
更に、第３実施形態に係る卓球ラケット６２の変形例について、図１４を参照して説明する。
図１４に示す卓球ラケット２Ｅは、ブレード４の第１面１２に対する角度αが鋭角となるように傾斜している掌当接面２８Ｅを備えている。このように掌当接面２８Ｅが傾斜していると、サポートプレート６４と傾斜した掌当接面２８Ｅとが協働して、使用者がグリップ１０Ｅを握った際に、掌当接面２８Ｅが掌９９の最適受容位置、すなわち掌グリップ受容部位９８に位置ずれなく適合し、ラケットの滑りを防止してグリップ安定性や使用者の安定感を増す効果を奏する。
【００９０】
ここで、角度αとしては、特に限定されるものではなく、例えば、７０度〜８５度程度に設定すると掌９９を握った際の掌グリップ受容部位９８に合致するので好ましい。
変形例の卓球ラケット２Ｅにおいても、テール部６６の下面６６ｃの形状を、図１３Ｂに例示した種々の形状に形成することもできる。この場合、グリップ１０Ｅを握った使用者の甲合谷部分１００ａ及び指をサポートプレートの下面６６ｃにより確りと保持することができ、グリップの安定性を増すことができる。
【００９１】
尚、卓球ラケット２Ｅの変形例においても、図１１の（ａ）、（ｂ）で示す第２実施形態の卓球ラケット２Ｂと同様に、第２突出ブロック２４Ｅの掌当接面２８Ｅの斜線で示す部分２５ｂを切り欠いて、第２掌当接面２９Ｅを形成し、ペンホルダーラケットの特長である「ショート」打法への移行を迅速、容易にすることもできる。
【符号の説明】
【００９２】
２、２Ａ〜２Ｅ        卓球ラケット
４                    ブレード
１０、１０Ａ〜１０Ｅ  グリップ
１４                  第１のラバー
１８                  第２のラバー
２０                  グリップ芯体
２２、２２Ａ〜２２Ｅ  第１突出ブロック（第１突出部材）
２４、２４Ｂ〜２４Ｅ  第２突出ブロック（第２突出部材）
２８、２８Ｂ〜２８Ｅ  掌当接面
２９Ａ〜２９Ｅ        第２掌当接面
３２、３２Ｂ〜３２Ｅ  示指接触面
３６、３６Ｂ〜３６Ｅ  中指接触面
９８                  掌グリップ受容部位
１００                手の甲
１００ａ              甲合谷
【図１】
2019217242.tif 000003
【図２】
2019217242.tif 000004
【図３】
2019217242.tif 000005
【図４】
2019217242.tif 000006
【図５】
2019217242.tif 000007
【図６】
2019217242.tif 000008
【図７Ａ】
2019217242.tif 000009
【図７Ｂ】
2019217242.tif 000010
【図８】
2019217242.tif 000011
【図９】
2019217242.tif 000012
【図１０Ａ】
2019217242.tif 000013
【図１０Ｂ】
2019217242.tif 000014
【図１０Ｃ】
2019217242.tif 000015
【図１１】
2019217242.tif 000016
【図１２】
2019217242.tif 000017
【図１３Ａ】
2019217242.tif 000018
【図１３Ｂ】
2019217242.tif 000019
【図１４】
2019217242.tif 000020
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
第１面及び第2面を有する、平板状のブレードと、当該ブレードの先端部とは反対の基端部に設けられているグリップとを備え、前記ブレードの第１面に、好ましくは第1面及び第２面の両面にラバーを貼着して使用される卓球ラケットであって、  
前記グリップは、
前記ブレードの第１面側に位置付けられてブレードの先端部側を向いており、使用者の示指が接触して押圧される示指接触面と、
前記ブレードの第２面側に位置付けられてブレードの先端部側を向いており、使用者の少なくとも中指が接触して押圧される中指接触面と、
前記ブレードの先端部とは反対側の終端に位置付けられ、使用者の掌が当接して押圧される掌当接面と、を含み、
使用時に、前記示指接触面に接触してこれを押圧する示指と、前記中指接触面に接触する少なくとも中指と、前記掌当接面に当接してこれを押圧する掌とにより前記グリップを掴むように把持されて使用され、前記ブレードの先端部と基端部とを結んだ中心軸線が、使用者の前腕の軸線が延びる方向に沿って延びる形状を有する、卓球ラケット。
【請求項２】
前記グリップは、前記ブレードの外周縁から延出したグリップ芯体と、前記グリップ芯体における第１面の側に配設された第１突出部材と、前記グリップ芯体における第２面の側に配設された第２突出部材とを含み、
前記示指接触面は、第１突出部材における前記ブレード先端部側に位置する一方端に設けられており、
前記中指接触面は、第２突出部材における前記ブレード先端部側に位置する一方端に設けられており、
前記掌当接面は、前記第１突出部材における前記ブレード先端部とは反対の側に位置する他方端、前記第２突出部材における前記ブレード先端部とは反対の側に位置する他方端、及び前記グリップ芯体における前記ブレード先端部とは反対の側に位置する終端の内、少なくとも一つに形成されている、請求項１に記載の卓球ラケット。
【請求項３】
第２突出部材に形成させた中指接触面は、第１突出部材に形成させた示指接触面より、前記ブレード先端部側に位置している、請求項２に記載の卓球ラケット。
【請求項４】
前記第２突出部材の他方端の一部を切り欠いたように形成された第２掌当接面を備える、請求項２に記載の卓球ラケット。
【請求項５】
前記第１突出部材の上面に配設されたサポートプレートを更に備えており、
前記サポートプレートは、第１突出部材を把持する示指、母指、手の甲合谷部分の少なくとも一つと接触するサポート面を備えている、請求項２に記載の卓球ラケット。
【手続補正２】
【補正対象書類名】明細書
【補正対象項目名】００１８
【補正方法】変更
【補正の内容】
【００１８】
本発明のグリップは、ブレードの第１面側に位置付けられてブレードの先端部側を向いており、使用者の示指が接触して押圧される示指接触面と、ブレードの第２面側に位置付けられてブレードの先端部側を向いており、使用者の少なくとも中指が接触して押圧される中指接触面と、ブレードの先端部とは反対側の終端に位置付けられ、使用者の掌が当接して押圧される掌当接面と、を有している。
本発明の卓球ラケットは、使用時に、前記示指接触面に接触してこれを押圧する示指と、前記中指接触面に接触する少なくとも中指と、前記掌当接面に当接してこれを押圧する掌とにより前記グリップを掴むように把持されて使用され、前記ブレードの先端部と基端部とを結んだ中心軸線が、使用者の前腕の軸線が延びる方向に沿って延びる形状を有する。